(57)【特許請求の範囲】
【請求項１】
自動利得制御手段と所定値以上の電界強度値を有する放送信号を受信したときに局検出を行うシーク手段とを有する受信装置において、
前記自動利得制御手段から出力される自動利得制御信号に基づいて、受信された放送信号を減衰させるように自動利得制御手段が動作するときに、前記シーク手段のシーク感度を上昇させるシーク感度変更手段を備え、
前記シーク手段が、受信された放送信号のレベル検波を行うレベル検波手段と、このレベル検波手段からのレベル検波信号に基づく電圧信号が入力されて所定値以上の電圧信号が入力されたときに局検出を行う比較手段とを有し、
前記シーク感度変更手段が、前記レベル検波手段と比較手段との間に接続されて、レベル検波手段から入力されるレベル検波信号に基づいて発生される電流信号に負荷される複数の抵抗を有し、
前記シーク感度変更手段において、前記自動利得制御手段から自動利得制御信号が入力したときに、前記電流信号に負荷される抵抗が切り換えられて、自動利得制御信号が入力されない時よりも抵抗値が大きくなるように変更されることを特徴とする受信装置。
【発明の詳細な説明】
【０００１】
【発明の属する技術分野】
この発明は、シーク機能を備えた無線電波の受信装置に関し、特に、強電界強度エリアにおいて、シーク機能の誤作動を防止することができる受信装置に関する。
【０００２】
【発明が解決しようとする課題】
一般に、ＡＭラジオやＦＭラジオなどの受信装置には、受信する電波の強弱によってゲインを調節することにより出力を一定に保つ自動利得制御（ＡＧＣ）回路と、所定値以上の電界強度値を有する放送信号を受信したときに局検出を行ういわゆるシーク機能とを備えたものがある。
【０００３】
このような受信装置においては、例えば、放送局に近いエリアのような強電界強度エリアでは、無線周波数自動利得制御（ＲＦＡＧＣ）回路が作動して、アンテナによって受信された放送信号を増幅するＲＦアンプのゲインが低下されるので、このような状態でシーク動作を行わせると、ＲＦアンプから出力される信号レベルが低下しているために、希望の局の周波数において局検出が行われない虞がある。
【０００４】
そこで、従来の受信装置には、例えば特開平６−１３９２１号公報に記載されているＡＭチューナのように、強電界強度エリアにおいてシーク動作が行われる時に、ＲＦＡＧＣのゲインをシーク動作が行われていないときに比べて小さくすることにより、ＲＦアンプのゲイン低下量を少なくして、希望の局検出を行なうことができるようにした受信装置が提案されている。
【０００５】
しかしながら、上記のような受信装置においては、シーク動作に連動してＲＦアンプのゲイン低下量を抑制するようにすると、ＲＦアンプを構成するトランジスタ素子が有する非直線性によってその二乗特性から、希望局の周波数と隣接する他局の周波数の２次あるいは３次の高調波が発生し、この高調波が妨害信号となって、シーク動作が正常に行われなくなるという問題がある。
【０００６】
すなわち、シーク動作が行われた際に、本来放送信号が存在しない周波数帯において上記のような高調波が検出されることによって誤動作が生じ、希望局を選択することができないという問題がある。
【０００７】
この発明は、上記のような従来の受信装置が有する問題点を解決するためになされたものである。
【０００８】
すなわち、この発明は、ＡＧＣ回路とシーク機能を備えた受信装置において、強電界強度エリア内でＡＧＣ回路が作動した場合であっても、シーク動作による選局を確実に行うことができるようにすることを目的とする。
【０００９】
【課題を解決するための手段】
本発明による受信装置は、上記目的を達成するために、自動利得制御手段と所定値以上の電界強度値を有する放送信号を受信したときに局検出を行うシーク手段とを有する受信装置において、前記自動利得制御手段から出力される自動利得制御信号に基づいて、受信された放送信号を減衰させるように自動利得制御手段が動作するときに、前記シーク手段のシーク感度を上昇させるシーク感度変更手段を備え、前記シーク手段が、受信された放送信号のレベル検波を行うレベル検波手段と、このレベル検波手段からのレベル検波信号に基づく電圧信号が入力されて所定値以上の電圧信号が入力されたときに局検出を行う比較手段とを有し、前記シーク感度変更手段が、前記レベル検波手段と比較手段との間に接続されて、レベル検波手段から入力されるレベル検波信号に基づいて発生される電流信号に負荷される複数の抵抗を有し、前記シーク感度変更手段において、前記自動利得制御手段から自動利得制御信号が入力したときに、前記電流信号に負荷される抵抗が切り換えられて、自動利得制御信号が入力されない時よりも抵抗値が大きくなるように変更されることを特徴としている。
【００１０】
この発明による受信装置は、強電界強度エリア内では自動利得制御手段の作動によって、受信された放送信号が減衰されたり、または、受信された放送信号を増幅する増幅回路のゲインが低下されたりするが、このとき、自動利得制御手段から出力される自動利得制御信号に基づいて、シーク感度変更手段が、局検出を自動的に行うシーク手段のシーク感度を変更して、自動利得制御手段によって放送信号が減衰され、または、増幅回路のゲインが低下されるときに、シーク感度を上昇させる。
【００１１】
この自動利得制御手段の作動によって、受信された放送信号が減衰されたり、または、受信された放送信号を増幅する増幅回路のゲインが低下される場合であっても、シーク手段のシーク感度が上昇されることによって、希望放送局の周波数の検出を確実に行うことができるようになる。そして、このシーク感度の上昇の際に、自動利得制御手段の作動による放送信号の減衰および増幅回路のゲインの低下には何ら影響を与えることがないので、放送信号に基づく高調波の発生が抑制され、隣接妨害信号によるシーク手段の誤動作も同時に防止することができる。
【００１３】
更に、レベル検波手段によって、受信された放送信号のレベル検出が行われ、このレベル検波手段からレベル検波信号がシーク感度変更手段に出力される。そして、シーク感度変更手段において、入力されてくるレベル検波信号に対応して発生される電流信号に抵抗が負荷されることによって電圧信号が生成され、この電圧信号が比較手段に入力されて所定の電圧値と比較されて、入力されてくる電圧信号が所定の電圧値よりも大きいときに局検出が行われる。
【００１４】
このとき、強電界強度エリアにおいて自動利得制御手段が動作して、この自動利得制御手段から出力される自動利得制御信号がシーク感度変更手段に入力されると、シーク感度変更手段が備えている複数の抵抗が切り換えられて、レベル検波信号に対応して発生される電流信号に負荷される抵抗値が、自動利得制御信号が入力されない時よりも大きくなるように変更され、これによって、比較手段に出力される電圧信号の電圧値が増大される。
【００１５】
これによって、本発明の受信装置によれば、自動利得制御手段が動作するときには、シーク感度変更手段における抵抗値が、自動利得制御手段が動作していないときよりも大きくなるように切り換えられて、局検出を行う比較手段に入力される電圧信号の電圧値が増大されるので、希望放送局の周波数の検出を確実に行うことができるとともに、このシーク感度の上昇の際に、自動利得制御手段の作動には何らの影響も及ぼさないので、高調波による隣接妨害信号によって、シーク手段の誤動作も防止することができる。
【００１６】
【発明の実施の形態】
以下、この発明の最も好適と思われる実施形態について、図面を参照しながら詳細に説明する。
【００１７】
図１は、この発明をＡＭ受信装置に適用した場合の実施形態の一例を示すブロック図である。
【００１８】
この図１において、アンテナ１によって受信されたＡＭ放送波は、ＲＦアンプ２によって増幅された後、混合（ＭＩＸ）回路３において局部発振信号によりＩＦ信号に周波数変換される。
【００１９】
そして、このＩＦ信号は、ＩＦアンプ４によって検波に必要な大きさまで増幅された後、ＡＭ検波回路５によって検波されてオーディオ信号となり、ＡＦアンプ６によって増幅されて、スピーカ７から出力される。
【００２０】
この図１において、８はＲＦアンプ２に入力されるＡＭ放送波のレベルを減衰させるアンテナ減衰（ＡＴＴ）回路であり、９は混合回路３に局部発振信号を出力する局部発振器（ＯＳＣ）であり、１０はＯＳＣ９を制御するＰＬＬ（フェーズロックドループ）である。
【００２１】
ＲＦアンプ２およびＡＴＴ回路８にはＲＦＡＧＣ回路１１が接続されており、このＲＦＡＧＣ回路１１によって、混合回路３から出力されるＩＦ信号の出力レベルが一定に保たれるように、ＲＦアンプ２およびＡＴＴ回路８が制御される。
【００２２】
ＩＦアンプ４にはＩＦＡＧＣ回路１２が接続されており、このＩＦＡＧＣ回路１２によって、ＡＭ検波回路５から出力されるオーディオ信号の出力レベルが一定に保たれるように、ＩＦアンプ４が制御される。
【００２３】
シーク動作部は、ＡＭ検波回路５とＡＦアンプ６の間に接続されたレベル検波回路１３と、このレベル検波回路１３から出力されるレベル検波信号の出力レベルを切り換える感度切換回路１４と、コンパレータ１５から構成されている。
【００２４】
そして、感度切換回路１４にはＲＦＡＧＣ回路１１が接続されていて、後述するように、このＲＦＡＧＣ回路１１から入力される制御信号によって、感度切換回路１４の感度切り換えが行われるようになっている。
【００２５】
感度切換回路１４は、図２に示されるように、レベル検波回路１３に接続された可変電流源１４Ａと、この可変電流源１４Ａに接続されたグランド抵抗Ｒ１と、このグランド抵抗Ｒ１に並列に接続されたグランド抵抗Ｒ２およびトランジスタＱと、このトランジスタＱとＲＦＡＧＣ回路１１との間に接続された反転アンプ１４Ｂとを備えている。
【００２６】
次に、このシーク動作部における作動を説明する。
【００２７】
レベル検波回路１３によって検波されたレベル検波信号は、感度切換回路１４の可変電流源１４Ａに入力され、可変電流源１４Ａは、入力されてくるレベル検波信号に対応した出力電流Ｉを発生する。
【００２８】
このとき、弱電界強度エリアにおいてＲＦＡＧＣ回路１１が動作しない場合には、ＲＦＡＧＣ回路１１から反転アンプ１４Ｂに制御信号が出力されておらず、したがって、反転アンプ１４ＢからトランジスタＱにベース電流が流れて、トランジスタＱがオンする。
【００２９】
これによって、コンパレータ１５に入力される電圧値Ｖは、
Ｖ＝Ｉ×（Ｒ１／／Ｒ２）
となる。
【００３０】
一方、強電界強度エリアにおいてＲＦＡＧＣ回路１１が動作するときには、ＲＦＡＧＣ回路１１から反転アンプ１４Ｂに制御信号が出力され、したがって、反転アンプ１４ＢからトランジスタＱへはベース電流が流れないために、トランジスタＱがオフする。
【００３１】
これによって、コンパレータ１５に入力される電圧値Ｖは、
Ｖ＝Ｉ×Ｒ１
となる。
【００３２】
以上のように、ＲＦＡＧＣ回路１１が動作する時には、感度切換回路１４における抵抗値が、ＲＦＡＧＣ回路１１の非動作時よりも大きくなるように切り換えられて、コンパレータ１５への入力電圧が増大され、これによって、ＲＦＡＧＣ回路１１の動作時におけるシーク動作部のシーク感度レベルがアップされる。
【００３３】
コンパレータ１５は、あらかじめ設定された電圧値以上の入力電圧があった時に、局検出信号を出力し、この局検出信号は、例えば、シーク動作の停止や一時停止、あるいはメモリのプリセットなどの公知の受信機能の制御信号として利用される。
【００３４】
以上のように、上記受信装置は、強電界強度エリアにおいてＲＦＡＧＣ回路１１が動作した時に、シーク動作部におけるシーク感度レベルがアップされるので、検波される信号レベルが低い場合でも希望放送局の周波数を確実に検出することができるとともに、ＲＦアンプ２のゲインおよびＲＦアンプ２への受信信号の入力レベルは、ＲＦＡＧＣ回路１１の作動によって十分に低下および減衰されているので、高調波の発生が抑制され、隣接妨害信号のレベルが低下されることによって、本来放送信号が存在しない周波数帯において局検出動作が行われるなどの誤動作の発生が防止される。
【００３５】
図３は、この発明による受信装置を、ＦＭ受信装置に適用した場合の実施形態の一例を示すブロック図である。
【００３６】
このＦＭ受信機は、アンテナ１によって受信されたＦＭ放送波は、ＲＦアンプ２によって増幅され、混合（ＭＩＸ）回路３において局部発振信号により周波数変換され、リミッタ２０によって振幅制限され、ＦＭ検波回路２１によってＦＭ検波され、ステレオ復調回路（ＭＰＸ）２２によってステレオ復調された後、左右のスピーカ７Ａおよび７Ｂから音声出力される。
【００３７】
そして、シーク動作部のレベル検波回路１３，感度切換回路１４およびコンパレータ１５がリミッタ２０およびＦＭ検波回路２１の間に接続されている。
【００３８】
他の構成は、図１のＡＭ受信装置の構成と同様であるので、図１と同様の符号が付されている。
【００３９】
このＦＭ受信機においても、図１のＡＭ受信装置と同様に、ＲＦＡＧＣ回路１１が動作する時には、感度切換回路１４における抵抗値が、ＲＦＡＧＣ回路１１の非動作時よりも大きくなるように切り換えられて、コンパレータ１５への入力電圧が増大され、これによって、ＲＦＡＧＣ回路１１の動作時におけるシーク動作部のシーク感度レベルがアップされる。
【図面の簡単な説明】
【図１】本発明の最良の実施形態における一例を示すブロック図である。
【図２】同例における感度切換回路の構成を示す回路図である。
【図３】
本発明の最良の実施形態における他の例を示すブロック図である。
【符号の説明】
１    …アンテナ１
２    …ＲＦアンプ２
３    …混合回路
４    …ＩＦアンプ
５    …ＡＭ検波回路
６    …ＡＦアンプ
７    …スピーカ
８    …ＡＴＴ回路
９      …ＯＳＣ
１０  …ＰＬＬ
１１  …ＲＦＡＧＣ回路（自動利得制御手段）
１２  …ＩＦＡＧＣ回路
１３  …レベル検波回路（レベル検波手段）
１４  …感度切換回路（シーク感度変更手段）
１４Ａ…可変電流源
１４Ｂ…反転アンプ
Ｒ１  …グランド抵抗
Ｒ２  …グランド抵抗
Ｑ    …トランジスタ
１５  …コンパレータ（比較手段）
２０  …リミッタ
２１  …ＦＭ検波回路
２２  …ＭＰＸ
【図１】
0003626350.tif 000002
【図２】
0003626350.tif 000003
【図３】
0003626350.tif 000004